Podtech/llm-jp-corpus-v4-ja_patent huggingface dataset:
(57)【要約】【課題】  重り台にしなり棒を立て、その棒の先にゴムひも付きボールをつけたテニス練習機を提供する。【解決手段】  重り台の中心にしなり棒を設け棒の上部先端にゴムひも付きボールのひもを結びつけたことを特徴とするテニス練習機。【選択図】図１
2012254265.tif 000002
【特許請求の範囲】
【請求項１】
重り台の中心にしなり棒を設け、棒の上部先端にゴムひも付きボールのゴムひもを結びつけることを特徴とするテニス練習機。
【発明の詳細な説明】
【技術分野】
【０００１】  本発明は重り台にしなり棒を立て、その棒の先にゴムひも付きボールをつけたテニス練習機に関するものである。
【背景技術】
【０００２】  従来、重り台に直接ゴムひも付きボールをつけたテニス練習機があった。
【発明の開示】
【発明が解決しようとする課題】
【０００３】  そのため、次のような問題点があった。
ゴムひもを直接重り台につないであるため支点が低くなり、打ったボールが低く戻ってきたり、転がって戻ってきたりして連打がしにくかった。
本発明はこれらの問題点を解決するためになされたものである。
【課題を解決するための手段】
【０００４】  重り台の中心にしなり棒を設ける。棒の上部先端にゴムひも付きボールのゴムひもをむすびつける。以上を特徴とするテニス練習機である。
【発明の効果】
【０００５】  ボールを打ったとき、ゴムひもが伸びて戻る力にしなり棒がしなって戻る力が加わり、更にゴムひもをしなり棒の上部先端につないであるため支点が高くなり、打ったボールが打ち返しやすい位置に戻ってくるので連打しやすい。
【発明を実施するための最良の形態】
【０００６】  以下、本発明の実施の形態について説明する。
（イ）重り台（１）の中央部にしなり棒（２）を設ける。
（ロ）しなり棒（２）の上部先端にゴムひも付きボール（４）のゴムひも（３）を結びつ      ける。
本発明は以上のような構成で、これを使用するときは重り台（１）を地面に置いて後方からラケットでボール（４）を重り台（１）の前方に打ち、ゴムひも（３）が伸びて縮む力としなり棒（２）がしなって戻る力とで返ってきたボールを打ち返し連打する。また、図３、図４に示すように（１）の重り台の代わりに水タンク（５）やクイ（６）で地面に固定してもよい。
【図面の簡単な説明】
【０００７】
【図１】本発明の斜面図
【図２】本発明の側面図
【図３】本発明の他の実施例を示す斜面図
【図４】本発明の他の実施例を示す斜面図
【符号の説明】
【０００８】１  重り台
２  しなり棒
３  ゴムひも
４  ゴムひも付きボール
５  水タンク
６  クイ
【図１】
2012254265.tif 000003
【図２】
2012254265.tif 000004
【図３】
2012254265.tif 000005
【図４】
2012254265.tif 000006
(57)【要約】【課題】従来の温灸器は、艾や金属など透過性のない物質が使用されているため、灸点を下した位置に正確に治療ができない場合があった。これは、灸点を下した位置が、温灸器で隠れてしまい正確な位置が確認できないためである。【解決手段】発熱部に透明なヒータを使用することで、灸点位置を目視できるような構造となっている【選択図】図１
2012254270.tif 000002
【特許請求の範囲】
【請求項１】
発熱部及び熱伝導部の素材が、透明で可視化されたことを特徴とする温灸器。
【請求項２】
発熱部にガラス製のヒータ、熱伝導部にセラミックスを用いた、請求項１記載の温灸器。
【発明の詳細な説明】
【技術分野】
【０００１】  本発明は、局所への加熱による灸の代用として使用される温灸器に関する。
【背景技術】
【０００２】  従来の温灸器の発熱部として、艾や金属など透過性のない物質が使用されている。
【発明の開示】
【発明が解決しようとする課題】
【０００３】    以上に述べた従来温灸器の発熱部では、つぼ、もしくは経穴に当たる場所に正確に灸点を下だす（つぼに印をし、その位置にお灸をする）治療ができない場合があった。
【課題を解決するための手段】
【０００４】    本発明は、発熱部及び熱伝導部に透明な素材を使用することで、灸点（つぼ、もしくは経穴に印を付けた点）の位置が目視できるような構造となっている。
【発明の効果】
【０００５】    上述したように本発明の電気温灸器は、灸点を下した位置を目視することができ、正確な位置に灸点を下すことが可能であるという効果を発揮するものである。
【発明を実施するための形態】
【０００６】  この発明の一実施形態を、図１に示す。
治療部は樹脂性筺体（ＴＯＰ、ＢＯＴＴＯＭ）、透明セラミックス（熱伝導体）、ガラスヒータ（発熱体）、基板、コードにより構成される。
【０００７】「実施形態の効果」
この実施形態によれば、温度制御や接触形態により、より効率的な治療が可能となる。
「他の実施形態」
図１の実施形態では、透明な素材としてガラス、透明セラミックスを用いている。
ＢＯＴＴＯＭ側の、透明セラミックスが接触（治療）部となる。
他の実施形態では、透過性のあるものでも良い。
【図面の簡単な説明】
【０００８】
【図１】この発明の一実施形態を示す斜視図である。
【符号の説明】
【０００９】１  匡体（ＴＯＰ，ＢＯＴＴＯＭ）    ２  透明セラミックス    ３  ガラスヒータ
４  基板    ５  コード
【図１】
2012254270.tif 000003
(57)【要約】      （修正有）【課題】粘土のように練り込み作業を行う必要がなく、轆轤などの用具を使用する必要がなく、乾燥を防ぐ必要もなく、軽量で保管が容易であり、かつ使用する時点で水分を加えることで即成形が可能な、陶磁制作の新しい技法を提供する。【解決手段】素材を乾燥させ粉砕し粉末状にして、水分を加えて泥状にしたものを、紙、布、木、金属の原型に塗り重ねて乾燥させ成形焼成する。【選択図】なし【特許請求の範囲】
【請求項１】
陶磁泥を  紙、布、木、金属の原型に塗り重ねて成形焼成する。
【発明の詳細な説明】
【技術分野】
【０００１】本発明は、陶磁制作の新しい技法による成形焼成に関する。
【発明概要】
【発明が解決しようとする課題】
現行の陶磁制作には粘土状の素材が使用されていますが、本発明は素材を乾燥させ粉砕し粉末状にして、水分を加えて泥状にしたものを、紙、布、木、金属の原型に塗り重ねて乾燥させ成形焼成する方法を発明しました。
【課題を解決するための手段】
本成形方法では、轆轤などの用具を使用する必要がなく、しかも、素材が乾燥粉末のために粘土のように練り込み作業を行う必要もありません。また、粘土状の素材とは違い乾燥を防ぐ必要もなく、素材に水分が含まれていないために軽量で保管し易い点があげられます。しかも、使用する時点で水分を加えることで、即成形が可能です。
(57)【要約】【課題】      この発明は、色紙を簡単・容易に展示・交換し、かつ外部から色紙を保護する機能を  有し、あわせて室内インテリアとしての機能も有する色紙用装飾具を提供する。【解決手段】  上端に吊り下げ軸、下端に安定用軸を有する装飾具の表面に背面紙を設け、該背面紙の縁に四辺の枠を設け、該枠及び枠で囲まれた部分を透明カバーで覆ったことを特徴とする色紙用装飾具である。【選択図】    図1
2012254190.tif 000002
【特許請求の範囲】
【請求項１】
上端に吊り下げ軸を、下端に安定用軸を有する装飾具の表面に背面紙を設け、該背面紙の縁に四辺の枠を設け、該枠及び枠で囲まれた部分を透明カバーで覆ったことを特徴とする色紙用装飾具。
【請求項２】
四辺の枠は、三辺の固定枠と一辺の可動枠からなる請求項１の色紙用装飾具。
【発明の詳細な説明】
【技術分野】
【０００１】
この発明は、色紙を飾る時に使用する吊り下げ形式の色紙用装飾具に関するものである。
【背景技術】
【０００２】
従来は、色紙を飾る場合は、額縁に装着したり、単に色紙の四隅をひもで挟む装飾具をつるしたり、色紙自体を飾り棚に飾っているだけだった。
【先行技術文献】
【特許文献】
【０００３】
【特許文献１】特開平９−２６２１６５号公報
【特許文献２】特開２００１−３２１２５４号公報
【特許文献３】特開２００６−０００５７８号公報
【特許文献４】特開２００６−１０９９３３号公報
【発明の概要】
【発明が解決しようとする課題】
【０００４】
これまでは次のような欠点があった。
（イ）    従来の額縁の装着は、裏面の板をはずして色紙の交換・装着を行わなくてはならず面倒であり、手間がかかる。
（ロ）    従来の、色紙の四隅をひもで挟む装飾具は、色紙がむきだしになっており、作者の作品である色紙を保護する機能はない。
（ハ）    装飾具の表面のほとんどの部分を色紙で飾るスペースにしているので、装飾具自体に、インテリアとしての機能は少ない。
本発明は、以上の問題点を解決するものである。
【課題を解決するための手段】
【０００５】
上端に吊り下げ軸を、下端に安定用軸を有する装飾具の表面に背面紙を設け、該背面紙の縁に四辺の枠を設け、該枠及び枠で囲まれた部分を透明カバーで覆っている。
以上の構成よりなる色紙用装飾具である。
【発明の効果】
【０００６】
本発明には次のような利点がある。
（イ）  色紙を展示・交換する場合、装飾具を吊るしたまま固定枠とひも又は蝶番でつながった可動枠をはずすことにより簡単に展示・交換できる。    
（ロ）  色紙を展示する装置が、上下左右の四辺の枠および前面の透明カバーにより構成されているので、色紙が保護される。
（ハ）  色紙を展示する装置が、装飾具の下部の限られたスペースに設置されているので、その装飾具自体のもつ生地・柄・模様等の風味とともに一体となって色紙を鑑賞す
ることができ、室内インテリアとしての機能が高い。
（ニ）  装飾具自体が、使用しないときは簡単に折りたたまれ、収納スペースも小さくて済む。
【図面の簡単な説明】
【０００７】
【図１】本発明の全体図である。
【図２】本発明の色紙を展示する装置の説明図である。
【図３】本発明の色紙を展示する装置の右側面図である。
【図４】本発明の色紙の挿入図である
【発明を実施するための形態】
【０００８】
以下、本発明の実施の形態を図面に基づいて説明する。
（イ）  図１は本発明の全体図を示し、布または紙により形成された装飾具１の上端に
吊り下げ軸２と吊り下げひも３が取り付けられ、下端に安定用軸４が取り付けられている。
（ロ）  本装飾具１の表面下部に、色紙を展示する装置５が取り付けられている。
図２はこの装置部分を図示したものである。      
背面紙６の縁に上枠７、左枠８、下枠９を接着固定し、表面を透明カバー１０で、これらの枠及び枠で囲まれた部分を覆っている。  
上枠７の右端と右枠１１の上端をひも１２で結合している。蝶番で結合してもよい。
右枠１１は取り外しができるように、背面紙、透明カバー、上枠、下枠等と接着されていない可動枠となっている。
右枠１１の下端に、取り外すためのひも１３が結合されている。
透明カバーの表面から、上枠の表面部分と上側面、左枠の表面部分と左側面、下枠の表面部分と下側面がそれぞれ化粧紙１４、１５、１６で貼着されている。
また上枠７とひも１２又は蝶番でつながっている右枠１１も、右枠の表面部分と右側面を化粧紙１７で貼着されている。
なお、図２での平行斜線は透明カバーを表しており、斜線延長上の破線は化粧紙によって覆われていることを示しており、四辺の枠上の○印は化粧紙が施されていることを表している。
（ハ）（ロ）の要領で形成された、色紙を展示する装置５の、背面紙６の上、下、左、
右の四辺が、装飾具１の表面下部に接着固定されている。
【０００９】
本発明は以上のような構成からなっており、以下、使用する場合について説明する。
飾ろうとする壁面の取り付け金具に、本発明の吊り下げひも３を掛けて飾る。
色紙を展示する装置５へ色紙を挿入する場合は、右枠１１をはずし、色紙を装置の右側から入れた後、再び右枠１１を装置の右側にはめる。右枠１１は上枠７とひも１２又は蝶番で結合されているので落下することはない。右枠１１が可動枠になっているので容易に色紙を展示・交換することができる。
また本発明は様々な装飾具に対応でき、色紙を装飾具の生地・柄・模様等と一体として鑑賞でき、インテリアとしての機能も大きい。もちろん好みで色紙を展示する装置５を装飾具１に複数個設置することも可能であり、また１個分の展示する装置５だけのスペースの小さな装飾具に設置することもできる。
【符号の説明】
【００１０】
１    色紙用装飾具全体図                                                        ２    吊り下げ軸                          
３    吊り下げひも  
４    安定用軸
５    色紙を展示する装置
６    背面紙
７    上枠
８    左枠
９    下枠
１０    透明カバー
１１    右枠
１２    上枠と右枠をつなぐひも
１３    右枠取り外し用のひも
１４    上枠の化粧紙
１５    左枠の化粧紙
１６    下枠の化粧紙
１７    右枠の化粧紙
【図１】
2012254190.tif 000003
【図２】
2012254190.tif 000004
【図３】
2012254190.tif 000005
【図４】
2012254190.tif 000006
(57)【要約】      （修正有）【課題】アスペクト比を大きくしなくても、また設置面積に比して、高揚力を発生することができる複葉型帆を提供する。【解決手段】この複葉型帆は、複数の帆１を図示しない船上に並列に設置したものである。本例では帆１は２枚であるが、帆１の枚数は特に限定されない。但し、帆１の枚数は、帆柱２を中心とする旋回半径と最前・後尾間の帆１の総合距離とに基づく長円形状の設置面積により制限される。また、この複葉の帆１のアスペクト比は、単葉帆のアスペクト比よりも小さくなっている。また、帆１は硬質帆、軟質帆のいずれでもよい。【選択図】図１
2012254755.tif 000002
【特許請求の範囲】
【請求項１】
帆走船に装備される帆であって、複数の帆を並列に設置したことを特徴とする複葉型帆。
【請求項２】
前記帆の断面形状が、円弧状または折り曲げ平板状となっていることを特徴とする請求項１に記載の複葉型帆。
【請求項３】
請求項１または２に記載の複葉型帆を装備したことを特徴とする帆走船。
【発明の詳細な説明】
【技術分野】
【０００１】
本発明は、高揚力を発生させる複葉型帆およびその複葉型帆を装備した帆走船に関する。
【背景技術】
【０００２】
地球温暖化防止のためのＣＯ2削減や省エネルギー効果を実現するために帆走船または汽帆船が注目されている。帆走船は推進動力として風力を利用したものであり、ＣＯ2削減および省エネルギー効果を実現することができる。また、汽帆船は、一般に、無風時や悪天候時等の航行のためにエンジン等の補助機関を搭載したものである。以下においては、帆走船または汽帆船を総称して「帆走船」という。
このような帆走船において、筒状の硬質帆を入れ子状に構成して帆を上下方向に伸縮可能にしたものが提案されている（例えば、特許文献１参照）。
【先行技術文献】
【特許文献】
【０００３】
【特許文献１】特開２００９−２１４６３３号公報
【発明の概要】
【発明が解決しようとする課題】
【０００４】
船に帆を装備した場合、大面積の帆を装備すれば、帆の揚力が増大するが、船上で帆を装備可能な場所は限定されているので、帆の面積を大きくすることには限界がある。また、帆は相対風を受けて揚力を発生させる三次元翼に相当するものであり、帆の高さ（翼のスパン長さに相当）と帆の幅（翼のコード長）の比、つまりアスペクト比を大とすれば、発生揚力が大となるが、帆および帆柱の高さには制限が生じるため、アスペクト比を大とすることには困難な問題がある。
【０００５】
本発明は、上記のような課題を解決するためになされたものであり、アスペクト比を大きくしなくても、また設置面積に比して、高揚力を発生することができる複葉型帆およびこの複葉型帆を装備した帆走船を提供することを目的とする。
【課題を解決するための手段】
【０００６】
本発明に係る複葉型帆は、帆走船に装備される帆であって、複数の帆を並列に設置したことを特徴とするものである。
【発明の効果】
【０００７】
本発明によれば、アスペクト比を大きくしなくても、帆の総面積を増大させることができるので、設置面積（甲板上で帆装置が専有する面積をいう）に比べて高揚力を発生させることができるという効果がある。
【図面の簡単な説明】
【０００８】
【図１】本発明の実施の形態における複葉型帆の概要図である。
【図２】複葉型帆の帆形状の一例を示す図である。
【図３】複葉型帆の帆形状の他の例を示す図である。
【図４】単葉帆と複葉型帆の揚力係数の比較図である。
【発明を実施するための形態】
【０００９】
以下、本発明の実施の形態を図面に基づいて説明する。
【００１０】
図１は、本発明の実施の形態における複葉型帆の概要図である。
図１に示すように、この複葉型帆は、複数の帆１を図示しない船上に並列に設置したものである。本例では帆１は２枚であるが、帆１の枚数は特に限定されない。但し、帆１の枚数は、帆柱２を中心とする旋回半径と最前・後尾間の帆１の総合距離とに基づく長円形状の設置面積により制限される。また、この複葉の帆１のアスペクト比は、単葉帆のアスペクト比よりも小さくなっている。また、帆１は硬質帆、軟質帆のいずれでもよい。
【００１１】
また、帆１の断面形状は、特に限定されない。例えば、図２に示すような円弧状、あるいは図３に示すような折り曲げ平板状に形成される。このように同じ形状をした帆１を複数並列に設置することにより、設置面積に比較して、帆１の総面積を増大させる。そして、複数の帆１の隣接間距離を適切に調整すれば、帆１の旋回を考慮した設置面積はほとんど増大することはない。
また、例えば２枚の複葉型帆を並列に連結すれば帆柱２が１本ですむ構成とすることもできる。
【００１２】
図４は、単葉帆と複葉型帆の揚力係数の比較図である。図４に示すように、複葉型帆と同一の投影面積の円弧断面単葉帆（１枚帆）と比較した場合、１．８倍以上の揚力が発生する。また、図３のような折り曲げ平板状の帆１の複葉型とした場合であっても同様に高揚力を発生させることができる。したがって、アスペクト比を大きくしなくても、設置面積に比べて高揚力を発生させることができる。
【符号の説明】
【００１３】
１  帆
２  帆柱
【図１】
2012254755.tif 000003
【図２】
2012254755.tif 000004
【図３】
2012254755.tif 000005
【図４】
2012254755.tif 000006
(57)【要約】      （修正有）【課題】既成自転車を利用されている方々より、重い、坂道では負荷過重、長乗りなどではペダル漕ぎ運動が苦痛との課題の解消緩和を図る。【解決手段】チェーン駆動部にテコクランク機構、及び四節回転機構又は平行クランク機構とも呼ばれ、又、足踏みミシン、自動車の前輪かじ取り機構、ハンドプレスなどにも利用されている機構を取り付ける。テコクランクのパワー増幅化は、ａテコの長さ×ｂクランクの半径が＝パワーアップと成る。【選択図】図１
2012254772.tif 000002
【特許請求の範囲】
【請求項１】
自転車のペダル部の原車チェーンホイール（ギア）と後輪部の従車チェーンホイールとの中間の間隔中にテコクランク機構、及び四節回転機構又は平行クランク機構を設置して、パワーアップの目的を達成した自転車。
【発明の詳細な説明】
【発明の詳細な説明】
【技術分野】
【０００１】  本機は既成自転車のペダル駆働部分に設置されている原車チェーンホイール（ギア）とチェーンで結ぶ後輪部の従車チェーンホイール間の位置フレーム部にテコクランク本体を取り付け設置をしてペダル漕ぎ運動パワーを増幅化されて後輪部の従車チェーンホイールに送伝された機構である。
又、テコクランクのパワー増幅化は、図１にテコクランク図に示す如くａテコの長さ×ｂクランクの半径が＝パワーアップと成る。
疑似例、ａは６ｃｍ×ｂは５ｃｍ＝６ｃｍ×５ｃｍ＝３０倍のパワーアップに至る。
３０倍は電動自転車のパワーに近いパワー増幅に至る。
【背景技術】
【０００２】  世紀に渡る自転車の利用は、エコ社会が云々される昨今の状況下に於いても益々盛んであるが、今日に至るも尚、利用者から、重い、負荷過重である、坂道、長乗りにてはペダル漕ぎが苦痛との事…では電動にしては…話すと、充電がね…との事、手軽に買えてパワーもスピードもアップされた物を…との要望である。
又、一般の自転車は旧態依然状況である。
【発明が解決しようとする課題】
【０００３】  本発明は、エコ社会が云々されている昨今環境汚染に問題の無い乗り物として、自転車の復活は内外共に活発である。併し、利用者の多くから負荷過重が坂道では苦痛に成る…。斯様な問題を解決する為に図１に示す如くテコクランク機構を似てパワー増幅させて課題を解決に至る。
【課題を解決するための手段】
【０００４】  本発明は、図１に示すが如く既成自転車のペダル駆働部に設置された原車歯車部分と後輪部分に設置されている従車歯車間にテコクランク機構、及び四節回転機構、又は平行クランク機構を設置してパワーを増幅し達成に至る。
図１に示す。
又、本機の機構は、足踏みミシン、自動車の前輪舵取り機構、ハンドプレスなどにも此の機構が利用されている。
【発明を実施するための形態】
【０００５】  テコクランク機構にてパワーアップされた自転車は、坂道などが多い地形であっても苦痛の叫びが緩和される。
【発明の効果】
【０００６】  図１の図面にては、テコクランク機構にてパワーアップが可能と成った自転車は、重い坂道ではペダル漕ぎ運動が苦痛課題であったが、パワーアップにて苦痛が解消緩和に至る。
【０００７】  テコクランク機構は、図２のＢ−Ｂ´矢視断面図として、図２のニードルケースにチェーンホイール（歯車）の設置状態と共に詳細に図解され、原車チェーンから送られて来る回転は、ニードルケースに固定設置されたテコクランク機構を経てパワーアップされて後輪部にチェーンにて回転が後輪部の従車チェーンホイールに転送されている。
【０００８】  本発明の一実施例は、テコクランク機構がニードルケースにセットされたチェーンホイール本体に組込まれたテコクランクにてパワーアップの目的を達成するメカニズムである。
【０００９】  上述の如く、テコクランク機構にてパワーアップが可能と成りペダル漕ぎ運動や負荷過重が解消緩和に至り資源消費文明社会がＣＯ２にて環境汚染と温暖化が進行し、エコ社会が叫ばれている昨今の状況下に於いては、付加価値化された自転車は唯一無公害の乗り物である。
【図面の簡単な説明】
【図１】  自転車の側面図と、ペダル駆働部分の原車より後輪部分の従車までの側面図をＡ部とした拡大図。Ａ−Ａ′は側面図の中芯部分を矢視断面にした図。Ｂ−Ｂ′断面図。
【図２】Ｂ−Ｂ′断面図の拡大詳細図と部分リスト。
【符号の説明】
2012254772.tif 000003
【図１】
2012254772.tif 000004
【図２】
2012254772.tif 000005
(57)【要約】      （修正有）【課題】駐輪や移動用の補助輪がペダリング時足元に絡まない折り畳み自転車を供給する。【解決手段】磁石を利用し、ワンタッチで格納出来る補助輪７をリアフレームに取り付ける。走行するときは、両手の平で挟むように補助輪７を押し込むと、磁石で作ったワッシャー１０が、キャッチャー１２に磁力で吸着し、補助輪７の格納状態を維持する。補助輪７が、ペダリングの邪魔をしないから、安定した駐輪や移動に必要な補助輪７の横幅を確保出来る。だからペダリングのとき補助輪が足元に絡まずに、駐輪や移動のときは安定した折り畳み自転車を供給できる。また、フレームを二分割式折り畳み自転車のフロントフレームとリアフレームを接続するフックとして、キャッチャー１２を利用すれば、組み立てや折り畳みが簡単で且つ確実なワンタッチロック機構にもなり、さらに利便性の高い折り畳み自転車を供給できる。【選択図】図１
2012254773.tif 000002
【特許請求の範囲】
【請求項１】
折り畳み自転車に取り付ける駐輪や移動専用の補助輪を格納式にしたて、走行中に邪魔にならないようにしたものである。
【発明の詳細な説明】
【技術分野】
【０００１】  本発明は、駐輪や移動用に折り畳み自転車に取り付ける補助輪を格納式にして、走行中に邪魔にならないように改良したものである。
【背景技術】
【０００２】  従来は、格納式にした駐輪や移動用の補助輪を取り付けた、折り畳み自転車はなかった。
【発明の概要】
【発明が解決しようとする課題】
【０００３】  駐輪や移動用の補助輪の取り付け箇所はフレーム中央、すなわちクランク周辺に固定するのが一般的で自転車を安定するのに理にかなっていた。しかし、クランク周辺に取り付けると、ペダリングの邪魔になり、足元に絡まり転倒する危険性が高かった。そのため、なるべく足元に絡まないように、補助輪の横への突出を小さくするしかなかった。また、駐輪や移動のときは横への広がりが不足のため、横倒しになる事が多かった。この課題を解消するために成されたものである。
【課題を解決するための手段】
【０００４】  そこで、本発明にあっては、上記課題を解決するため、補助輪を左右に分割し内側端部に強力磁石を取り付け、走行中は内側に使用するときは外側に車軸ごと伸縮式にし、振動や傾斜でも勝手に伸縮しないように、磁石で固定できるように作成した。
【発明の効果】
【０００５】  折り畳み自転車などの駐輪や移動用の補助輪を単にフレームに固定せずに、左右分割式にして走行中は内側へ格納し、補助輪が、足元に絡まないから、転倒するなどの危険性が無くなり、使用するときは外側に必要なだけ引き出せ、バランスを保ち易いから、駐輪中に倒れる心配がなくなり、移動中も安定してるから、軽快に移動できる。そして、振動や傾斜により勝手に補助輪が、動かないように強力磁石で固定し、かつ、ワンタッチで伸縮出来るので、折り畳み自転車の組み立てや折り畳みの時間を短縮させることができる。
【図面の簡単な説明】
【０００６】
【図１】  本発明の水平断面図である。
【図２】  本考案の使用状態図である。
【発明を実施するための形態】
【０００７】  車軸８と補助輪７を固定し、リアフレーム２を挟んで車軸受９へ差し込み、反対側に突き出た端部に車軸ストッパー１１を取り付ける。車軸受９の内側端部に強力な磁石で作ったワッシャー１０を取り付ける。車軸ストッパー１１より少し大い穴１６をあけたキャッチャー１２を挟んで、もう一方の補助輪７を同じ様に取り付ける。車軸受９は、磁力に作用しない丈夫な筒状のガードカバー１５の中を円滑に移動出来る。また、補助輪７に超過荷重が掛かても車軸受９が坐窟しないようにワッシャー１０を十分に厚くしておく。
走行するときは、補助輪７を両手の平で挟むように押し込むと、キャッチャー１２にワッシャー１０が磁力で固定されるので補助輪７は格納状態を維持し、走行を妨げることはない。
【０００８】  駐輪や移動のときは、片方の補助輪７を手の平で軽く叩くと車軸受９よりも長めの車軸８が、車軸ストッパー１１と共にキャッチャー１２の穴１６をすり抜けて、もう一方の補助輪７を押し出す。その帰りの手で、先ほど叩いた補助輪７を握り、左右同時に引けば、ワッシャー１０がリアフレーム２に強力に接着するので、安定した駐輪や移動を可能にしたものである。
【符号の説明】
【０００９】  １．メインフレーム
２．リアフレーム
３．シートチューブ
４．シートポスト
５．サドル
６．ハンドル
７．補助輪
８．車軸
９．車軸受
１０．ワッシャー
１１．車軸ストッパー
１２．キャッチャー
１３．ヘッドチューブ
１４．フロントホイール
１５．車軸受ガードカバー
１６．穴
【図１】
2012254773.tif 000003
【図２】
2012254773.tif 000004
(57)【要約】      （修正有）【課題】シンプルな形態のハンバーガーにおいて、食べたときの舌触りとのどごしのよいハンバーガーを提供する。【解決手段】ハンバーグ１を上下からパン２で挟み込んで成るハンバーガーにおいて、該ハンバーグの表面か裏面の何れか一面に、周縁に沿って所要数、所要輪郭形状の凹部３を配設し、該凹部に味付けジュンサイ４を盛り付けして成る。このほか、該ハンバーグが猪肉をベースとして味付けされたものや、前記凹部が周縁に配設される凹部と、該凹部と隔絶されて中央部に配設される凹部とから成る。【選択図】図２
2012254047.tif 000002
【特許請求の範囲】
【請求項１】
ソースを絡めて味付けしたハンバーグを、表面と裏面とからパンで挟み込んで成るハンバーガーにおいて、
該ハンバーガーの表面か裏面の何れか一面に、周縁に沿って所要数、所要輪郭形状の凹部を配設し、該凹部に味付けジュンサイを盛り付けして成るハンバーガー。
【請求項２】
前記凹部が周縁に配設される凹部と、該凹部と隔絶されて中央部に配設される凹部とから成る請求項１記載のハンバーガー。
【請求項３】
前記ハンバーグが猪肉をベースとして味付けされて成る請求項１又は２記載のハンバーガー。
【発明の詳細な説明】
【技術分野】
【０００１】
本発明は、風味の変ったハンバーガーに関する。
【背景技術】
【０００２】
従来から、ハンバーグに各種各様の食材を添えてパンで上下から挟み込んで食されるハンバーガーは種々提供されているが、ハンバーグに味付けジュンサイを盛り付けたハンバーガーは未だ提案されていない。
【発明の概要】
【発明が解決しようとする課題】
【０００３】
本発明は、今日流行のハンバーガーに見られるように、ハンバーグに各種各様の食材を添えてパンで上下から挟み込む分厚いものではなく、シンプルな形態で食べたときの舌触りとのどごしのよいハンバーガーの提供をその目的とするものである。また、旨味の点では一風変った猪肉を使用することにより、噛めば噛む程味の出るハンバーガーを提供するものである。
【課題を解決するための手段】
【０００４】
本発明の請求項１に記載したハンバーガーは、ソースを絡めて味付けしたハンバーグを、表面と裏面とからパンで挟み込んで成るハンバーガーにおいて、
該ハンバーグの表面か裏面の何れか一面に、周縁に沿って所要数、所要輪郭形状の凹部を配設し、該凹部に味付けジュンサイを盛り付けして成る。
本発明の請求項２に記載したハンバーガーは、請求項１に記載したハンバーガーにおいて、
前記凹部が、周縁に配設される凹部と、該凹部と隔絶されて中央部に配設される凹部とから成る。
請求項３に記載したハンバーガーは、請求項１又は２記載のハンバーガーにおいて、
前記ハンバーグが猪肉をベースとして味付けされて成る。
【発明の効果】
【０００５】
本発明のハンバーガーによれば、ジュンサイ特有のゼリー状のヌメリが食べたときのツルンとした舌触りで口の中を滑らかにし、のどごしの良い食感を与える効果がある。
【図面の簡単な説明】
【０００６】
【図１】本発明に係るハンバーガーＡの構成を示す説明用斜視図。
【図２】本発明に係るハンバーガーＡの縦断面図。
【図３】ハンバーグ１の他の実施態様における斜視図。
【発明を実施するための形態】
【０００７】
本発明のハンバーガーにおけるハンバーグは、猪肉をベースとするものであるが、該ハンバーグの表面か裏面の何れか一面に所要数設けられる凹部は、その深さが厚みの略半分程度であり、その形状は扇形や円形など種々選択され、その配設位置もハンバーグの周縁に沿ってのみ設けられるものや周縁と中央部とに設けられるものなどである。また、この凹部は基本的には上方のみ開口するものであるが、ハンバーグの外周縁に一部連通する開口部を設けて僅かに周縁から味付けジュンサイが見えるようにすることも良しとする。
【実施例】
【０００８】
本発明を実施例により説明すると、図１に示すように、ソースを絡めて味付けされたハンバーグ１をその表面と裏面からパン２で挟み込んで食されるハンバーガーＡは、ハンバーグ１がその表面（一面）に、略厚みの半分程度の深さでその輪郭形状を扇形とする凹部３が３個所凹設され、各凹部３には矢印で示すように、ゼリー状のヌメリと共に味付けされたジュンサイ（スイレン科の多年草水草）４が盛り付けられて成る。
【０００９】
このようにして成るハンバーガーＡは、図２に示すように、ソースを絡めて味付けされたハンバーグ１が上下からパン２で挟み込まれ、適宜な包装紙（図外）で包装されて市販に供される。食べるときはソースのみならずジュンサイ特有のヌメリとの相乗効果で、ツルンとした舌触りとのどごしの良い食感で一層美味しいものとなる。また、肉自体が牛肉や豚肉と異なり猪肉であるから歯ごたえのある上、噛めば噛む程旨味がパン２にからみ、若者向きのくせになる食品として爆発的な需要が期待される。
このほか、図３に示したハンバーグ１は、表面に配設される凹部３が円形で深さは前記のものと同様で厚みの半分程度であるが、周縁に沿って４個設けられるほかに、中央部にも１個設けられたものである。このほか、周縁に沿って配設される凹部３はその輪郭形状が円弧状の長円形のものも提供される。
【産業上の利用可能性】
【００１０】
本発明に係るハンバーガーは、ハンバーグの加工において食肉加工業界を刺激し、ファーストフード店では食感の異なる食品を提供できる点でその需要が大いに期待される。
【符号の説明】
【００１１】
１：ハンバーグ
２：パン
３：凹部
４：味付けジュンサイ
Ａ：ハンバーガー
【図１】
2012254047.tif 000003
【図２】
2012254047.tif 000004
【図３】
2012254047.tif 000005
(57)【要約】【課題】  採取ピンを培地に突き刺して微生物を採取する場合に、培地の厚みが変化しても常に同じ深さから微生物を採取する。【解決手段】  下端に形成された先端部が培養地に抜き挿し自在に保持された採取ピンと、採取ピンを垂直軸方向滑動自在に支持するとともにフリー状態では採取ピンを滑動行程最下位に保持しながら採取ピンを垂直軸方向に昇降駆動する採取ピン駆動機構とを備え、採取ピンを採取ピン駆動機構により下降させ、培養器の培養地に採取ピンをその自重荷重で突き刺した後、採取ピンを採取ピン駆動機構により上昇させて培養地から採取ピンを抜き取ることにより培養地から微生物を採取する。【選択図】図１
2012254065.tif 000002
【特許請求の範囲】
【請求項１】
下端に形成された先端部が培養地に抜き挿し自在に保持された採取ピンと、該採取ピンを垂直軸方向滑動自在に支持するとともにフリー状態では採取ピンを滑動行程最下位に保持しながら採取ピンを垂直軸方向に昇降駆動する採取ピン駆動機構とを備え、
前記採取ピンを前記採取ピン駆動機構により下降させ、培養器の培養地に前記採取ピンをその自重荷重で突き刺した後、前記採取ピンを前記採取ピン駆動機構により上昇させて前記培養地から前記採取ピンを抜き取ることにより培養地から微生物を採取することを特徴とした微生物採取方法。
【請求項２】
請求項１に記載の微生物採取方法において、
前記採取ピンと前記採取ピン駆動機構との間に螺旋溝機構を形成して、前記採取ピンが前記採取ピン駆動機構に対して相対的に上昇する際に前記採取ピンに回転運動を発生させることを特徴とした微生物採取方法。
【請求項３】
請求項１または２に記載の微生物採取方法において、
前記採取ピンに着脱自在に錘を取り付けたことを特徴とした微生物採取方法。
【発明の詳細な説明】
【技術分野】
【０００１】  本発明は、培養地からの微生物採取方法に関し、詳しくは培養器の培養地からＸＹＺ駆動機構を用いて微生物を採取する際のＺ軸の支持方法に関する。
【背景技術】
【０００２】  従来、複数の培養地から順次微生物を採取する場合は、特許文献１に記載されているようなＸＹＺテーブルを用いることがある。ＸＹＺテーブルを用いた場合に、ＸＹ位置（平面位置）を変えながら複数の培養器から微生物を採取するには、異なる培養器ごとにＺ軸（垂直軸）方向に採取ピンを昇降させて採取ピンを培養地に突き刺して微生物を採取していた。このとき採取ピンの下端位置は、通常毎回同じであるため、培養器ごとの培養地の上面レベルが毎回同じであれば常に同一条件つまり同一深さまで採取ピンを突き刺して微生物のサンプリングが行える。【０００３】
【特許文献１】  特開２０００−２３２８７３号公報
【発明の開示】
【発明が解決しようとする課題】
【０００４】  しかしながら、培養器ごとに培養地の上面レベルにばらつきがある場合は、そのレベルの高低に応じて突き刺される採取ピンの深さが変化して同一条件でのサンプリングにはならないという問題があった。
そこで、本発明は、ＸＹ位置（平面位置）を変えながらＺ軸（垂直軸）方向に採取ピンを昇降させて複数の培養器から順番に微生物を採取する場合に、培養器ごとに培養地の表面レベルが変化しても、常に同一圧力で採取ピンを培養地に突き刺すことにより、ほぼ毎回一定深さまで採取ピンを突き刺してサンプリングすることができる微生物採取方法を提案することを目的とした。
【課題を解決するための手段】
【０００５】  上記課題を解決するために、本発明は、下端に形成された先端部が培養地に抜き挿し自在に保持された採取ピンと、該採取ピンを垂直軸方向滑動自在に支持するとともにフリー状態では採取ピンを滑動行程最下位に保持しながら採取ピンを垂直軸方向に昇降駆動する採取ピン駆動機構とを備え、前記採取ピンを前記採取ピン駆動機構により下降させ、培養器の培養地に前記採取ピンをその自重荷重で突き刺した後、前記採取ピンを前記採取ピン駆動機構により上昇させて前記培養地から前記採取ピンを抜き取ることにより培養地から微生物を採取することを特徴とした。【０００６】  また、本発明は、上記の微生物採取方法において、前記採取ピンと前記採取ピン駆動機構との間に螺旋溝機構を形成して、前記採取ピンが前記採取ピン駆動機構に対して相対的に上昇する際に前記採取ピンに回転運動を発生させることを特徴とした。【０００７】  さらに、本発明は、上記の微生物採取方法において、前記採取ピンに着脱自在に錘を取り付けたことを特徴とした。
【発明の効果】
【０００８】  以上述べたように本発明によれば、採取ピンが垂直軸方向滑動自在に支持されたことにより、採取ピンはその自重により培養地に突き刺されることになり、培養器ごとに培養地の表面レベルが変化しても、常に同一圧力で採取ピンが培養地に突き刺ささり、ほぼ毎回一定深さまで採取ピンを突き刺してサンプリングすることができる。
【発明を実施するための最良の形態】
【０００９】  以下、図に基づいて本発明の実施形態を説明する。図１は本発明に係る微生物採取方法に用いられる採取ピンの構成を示す説明図であり、左側が待機時を、右側が接地時を示している。図２は本発明に係る微生物採取方法に用いられる採取ピンの他の構成を示す説明図である。【００１０】  図１の左側では、採取ピンであるところのピンが矯正板１、２に水平方向の移動を規制されて支持されるとともに昇降可能に支えられている。図１の右側の接地時はピンが培地に接触している。ピンは矯正板１、２により水平方向のみ支えられていて上下方向の抜き差しが可能であるため、取り替えが簡単に出来る。又ピンが上下すると回転機構によりピンは回転する。図１では、回転機構として、ピン側にリードの大きい螺旋溝または螺旋凸条を形成するとともに、矯正板２側に該螺旋溝または該螺旋凸条に嵌合する突起または溝を形成している。それにより、ピンが下降して下端が培地に突き当たると、ピンが矯正板２に対して相対的に上昇しながら回転駆動されて、ピン下端が捻じれながら培地に突き刺される。【００１１】  これらの構成により、接地時すなわちピンが培地に当接しているときは培地にかかる荷重はピンの自重のみとなる。すなわち、培地の厚みが変化しても、ピンの培地への喰い込み深さが毎回略一定となり、常に同じ深さで培地から菌等の微生物が採取できる。【００１２】  図２では、筒状の収納体に上下方向抜き差し自在にピンが収納されているとともに、ピンの上端に追加可能な錘がネジ固定されている。これはピンを深く突き刺したい場合や、培地が固い場合に、錘を追加可能にするものである。
【図面の簡単な説明】
【００１３】
【図１】本発明に係る微生物採取方法に用いられる採取ピンの構成を示す説明図であり、左側が待機時を、右側が接地時を示している。
【図２】本発明に係る微生物採取方法に用いられる採取ピンの他の構成を示す説明図である。
【符号の説明】
【００１４】  １  矯正板
２  矯正板
【図１】
2012254065.tif 000003
【図２】
2012254065.tif 000004
(57)【要約】【課題】  粒状ゼリーの新規な製造方法を提供すること。【解決手段】カルシウム溶液にＬＭペクチンやアルギン酸ナトリウム、ジェランガムなどの粉末をそのまま分散し、一定時間放置して膨潤肥大化させることによって粒状ゼリーができる。【選択図】なし【特許請求の範囲】
【請求項１】
ＬＭペクチンやアルギン酸ナトリウム、ジェランガムなどのカルシウム反応性のあるゲル化剤であって、低温でも膨潤し、溶解するゲル化剤粉末を、カルシウム溶液に分散することにより、ゲル化剤が溶解せず、ゲル化剤粉末が水分を吸って膨潤巨大化することにより得られる粒状ゼリー。
【請求項２】
ＬＭペクチンやアルギン酸ナトリウム、ジェランガムなどのカルシウム反応性のあるゲル化剤であって、低温でも膨潤し、溶解するゲル化剤粉末を、カルシウム溶液に分散することにより、ゲル化剤が溶解せず、ゲル化剤粉末が水分を吸って膨潤巨大化することにより得られる粒状ゼリーの製造方法。
【請求項３】
カルシウム溶液としては乳酸カルシウム溶液ならば０．０１〜１．０％溶液が良い。カルシウム源としては、塩化カルシウム、第二リン酸カルシウム、他、用途に合わせて選ぶことができる。ゲル化剤量はＬＭペクチンやアルギン酸ナトリウム、ジェランガムなどをカルシウム溶液に対して０．０１〜５％など、必要に応じて変えることができる。カラギーナン、ローカストビーンガム、キサンタンガム、寒天の他、増粘剤などを一緒に使用すれば粒状ゼリーの食感とサイズをコントロールすることができる。
【発明の詳細な説明】
【技術分野】
【０００１】  本発明は、粒状ゼリー、及びその製造方法に関する。
【背景技術】
【０００２】  粒状ゼリーを製造する方法は、いくつか提案され、つぶつぶ感が果肉食感を連想させるので、飲料などに使用されている。ゲル化剤としてはＬＭペクチンなどを使用している。すなわちＬＭペクチン溶液をカルシウム溶液に滴下する方法。またはＬＭペクチン溶液を撹拌しながらカルシウム溶液を添加する方法。その他、粒ゼリーを製造する方法が従来みられる。【０００３】  これらの方法によって作られた製品は、食感におもしろさがあり、飲料、ゼリーなどに応用され、人気のある製品が製造されている。
【発明の開示】
【発明が解決しようとする課題】
【０００４】  上記したように、粒状ゼリーの作り方は数々あるが、本発明者は新しく粒状ゼリーを作る方法を考案した。【０００５】  本発明は、簡単に粒状ゼリーを製造でき、梨やりんごのピューレを連想するような食感の粒状ゼリーを製造できるようにすることを目的とする。
【課題を解決するための手段】
【０００６】  本発明者らは粒状ゼリーを製造するに当たり、新たな方法を見出し、本発明を成すに至ったものである。【０００７】  即ちＬＭペクチンやアルギン酸ナトリウム、ジェランガムなどのゲル化剤が、低温でも膨潤し、溶解する性質がある一方で、カルシウムなどが共存すると、ゲル化し、ゲル化剤パウダーが溶解しにくいことを利用する方法である。カルシウムなどの水溶液にこれらのゲル化剤粉末を分散させると、粉末の一つ一つの粒が水を吸い、膨潤肥大化する。そのとき、ゲル化剤の周りにカルシウムなどが溶解していれば、膨潤肥大化した粉末の粒がそのままゲルになるという方法である。
【発明の効果】
【０００８】  本発明によれば、飲料やゼリーなどの製造者は、ＬＭペクチンやアルギン酸ナトリウム、ジェランガムなどの粉末をカルシウム溶液などに分散し、放置するだけで、食感の良い粒状ゼリーを製造することができる。このゼリーを利用すれば、たとえばフルーツ飲料の中に果肉感のある粒状ゼリーを入れたものを製造したり、通常のゼリーの中にこの粒状ゼリーを入れれば梨や、スイカ、トマトなどを連想するような製品が製造できる。
【発明を実施するための最良の形態】
【０００９】  ＬＭペクチンやアルギン酸ナトリウム、ジェランガムなどのカルシウム反応性のあるゲル化剤を使用する。【００１０】  カルシウムとして、乳酸カルシウム溶液ならば０．０１〜１．０％の溶液を用意する。カルシウム源としては、塩化カルシウム、第二リン酸カルシウム、他、用途に合わせて選ぶことができ、溶解、解離しているカルシウム量を調整すれば良い。【００１１】ゲル化剤のＬＭペクチンやアルギン酸ナトリウム、ジェランガムなどの粉末をカルシウム溶液に分散する。ゲル化剤の量としては、カルシウム溶液に対して０．０１〜５％など、必要に応じて変えることができる。【００１２】ゲル化剤としてはＬＭペクチンやアルギン酸ナトリウム、ジェランガムなどのカルシウム反応性のものの他にカラギーナン、ローカストビーンガム、キサンタンガム、の他、増粘多糖類などを一緒に使用することもでき、粒状ゼリーのサイズをコントロールしたり、食感を調整することができる。【００１３】  これらのゲル化剤を分散後、保持する時間としては、１分〜１時間程度で良いが。これ以上に長くても構わない。  ゲル化剤が膨潤し、カルシウム反応が完了していればそれで良い。【００１４】  このようにできた粒状ゼリーは、飲料に混ぜ込んでから加熱殺菌しても溶けずに残るので、チルド流通や、常温流通など、いろいろな飲料に応用できる。
【実施例１】
【００１５】本発明の粒状ゼリーを作成するに当り、表１の配合で粒状ゼリーを作成し、リンゴ飲料に混ぜ込んだものを加熱殺菌し容器に充填して飲料製品を製造した。【００１６】まずｂを混合して、ａの水に攪拌分散。６０分間放置し、ゲル化剤が膨潤しゲル化がほぼ完了する。次にｃ，ｄ，ｅ，ｆを順に投入、溶解する。その後、加熱し、８５℃で容器に充填。冷却した。
【表１】
2012254064.tif 000002
【００１７】実施例の評価。
2012254064.tif 000003
(57)【要約】【課題】観賞魚用水槽の水温を上げる場合は水槽内へヒーター設置する。逆に水温を下げるには冷却装置を必要とするなど、別々な温度制御装置が必要となる。また、冷却装置は水槽とは別に設置する場所も必要となり価格も高価である。【解決手段】本発明はペルチェ素子を使用し、そのペルチェ素子に流す電流の方向を変えることで、温めと冷却をひとつの装置で可能とする物である。また、水槽への取り付けに関しては、水槽の平面ガラス面へ容易に取り付けできる事で従来の技術を解決するものである。【選択図】図１
2012254069.tif 000002
【特許請求の範囲】
【請求項１】
観賞魚用水槽（１２）へ引っ掛けフック（１０）を用いて容易に固定する事が出来きる。
【請求項２】
観賞魚用水槽（１２）の平面ガラス面と、熱伝導板（８）の間に伝熱剤であるシリコーングリースを塗布するため、ペルチェ素子（７）で作られた熱が平面ガラスを介し水槽内の水温を変化させる事ができる。
【請求項３】
冷温切り替えスイッチ（５）を操作する事で、ペルチェ素子に流れる電流を逆方向とし、水温を上げることも、下げることもひとつの装置で行う事が可能である。
【発明の詳細な説明】
【技術分野】
【０００１】  この発明は、ひとつの装置で観賞魚用水槽の水温を冷却から温めまでを可能とし、更に  水槽への設置も容易に出来ものである。
【背景技術】
【０００２】  従来の水温調節装置では、水温を冷却する場合はコンプレッサーまたは冷却ボックスなどの冷却装置を必要とし、逆に水温を温める場合は水槽内に設置したヒーターを使用する等、どちらかを一方を制御するものである。【０００３】  冷却の場合は観賞魚用水槽とは別に設置した冷却装置などを用いその容器内で冷却水を作り、その冷却水を水槽内と循環する事で水温上昇を制御しているが、観賞魚用水槽とは別な装置となるため設置場所も必要となっている。
【先行技術文献】
【特許文献】
【０００４】
【特許文献１】特開２００１−１４８９６１
【特許文献２】特開平１０−１１３０９３
【発明の概要】
【発明が解決しようとする課題】
【０００５】  しかしながら以上の技術によれば、周囲環境温度が低温の場合はヒーターを使用し、逆に周囲環境温度が高温の場合は冷却装置を使用するため２種類の装置が必要となる。
また、それらの設置に関してもヒーターは水槽内部。冷却装置は別設置となっている。
本発明は、以上の問題点を解決し、ひとつの装置で観賞魚用水槽の水温を温めから、冷却までの水温調節を可能とする。【０００６】  設置についても観賞魚用水槽の平面ガラス面へ容易に設置する事が可能であり、別途設置場所を必要としないなど、それらの技術を提供するものである。
【課題を解決するための手段】
【０００７】  以上の問題を解決するために、本発明は電流の方向を変えることで素子自体の表面温度が、高温から低温に変化するペルチェ素子を使用し、ひとつの装置で水温を温めから冷却までを可能とする。【０００８】  また、観賞魚用水槽への設置はペルチェ素子の熱を効率より水槽内へ伝えるため放熱板を平面とし、その平面部へ伝熱剤としてのシリコーングリースを塗布する事で水槽の平面ガラス面を密着させることが出来その効果をより良く発揮するものである。
【発明の効果】
【０００９】  従来観賞魚用水槽の水温制御は、２種類の装置を使用していたが本発明はひとつの装置でそれを可能としている。設置についても水槽の平面ガラス面への設置とするため一般的な観賞魚用水槽の殆どに取り付け可能である。
【図面の簡単な説明】
【００１０】
【図１】本発明の設置使用図である。
【発明を実施するための形態】
【００１１】  以下、本発明の実施の形態を説明する。
（イ）本装置はペルチェ素子（７）の効果を最大限利用し、（２）の電源および制御部に      有る冷温切り替えスイッチ（５）で、水温を冷却から温めまで制御可能としている      。
（ロ）水温の適温調整は、水槽内へ設置される温度センサー（１１）と、制御部に有る温      度調節ダイヤル（４）を使用し行う。
（ハ）水槽への装置取り付けを容易とするため、装置自体は引っ掛けフック（１０）を使      用し水槽へ固定する。
（ニ）水槽の平面ガラス面と熱伝導板（８）を密着させ更に水槽内部への熱伝導の効率を      高めるため、熱伝導板と平面ガラス面の間に、伝熱剤としてのシリコーングリース      （９）を塗布する。
本発明は以上の構成よりなる。
本発明を使用する場合は、周囲環境温度に応じ冷温切り替えスイッチ（５）と、温度調節ダイヤル（４）を用いて適温とする事が可能である。また、伝熱剤のシリコーングリース（９）を塗布する事で、水槽の平面ガラス面と熱伝導板（８）をより密着可能とし熱伝導の効率を確保している。
【符号の説明】
【００１２】  １  商用電源１００Ｖ差し込みプラグ
２  電源および制御部
３  電源スイッチ
４  温度調節ダイヤル
５  冷温切り替えスイッチ
６  外部放熱板
７  ペルチェ素子
８  熱伝導板
９  シリコーングリース
１０  引っ掛けフック
１１  温度センサー
１２  観賞魚水槽
【図１】
2012254069.tif 000003
(57)【要約】      （修正有）【課題】食品・医薬品製造工場において、安価で高レベルな衛生状態に保つ技術を提供する。【解決手段】１．食品や医薬品等の原材料・中間材料を入れる開閉シャッターを有する密閉格納容器、２．開閉シャッター付き製造処理装置、３．上記１，２の密閉格納容器と製造装置双方の開閉シャッター同士を符合・密着させ、外部から不純物や菌類の侵入を防ぎ、高度な衛生状態を保持したままの状態で、原材料の搬入・搬出を可能とするシステム。【選択図】図３
2012254067.tif 000002
【特許請求の範囲】
【請求項１】
食品・医薬品及びその梱包材の製造において、互いに密着可能で符合できる形状を有する開閉シャッター付き原材料を格納密閉容器と、開閉シャッター付き製造装置を組み合わせて使用するもの。
【発明の詳細な説明】
【技術分野】
【０００１】本発明は、食品や医薬品等の高度な衛生管理を必要とする製造工程において、安価に、高度な衛生環境を保持するための製造方式である。
【発明が解決しようとする課題】
【０００２】一般的に食品・医薬品製造工場においては、生産ライン全体を、高レベルな衛生状態に保つ必要がある。そのために製造ラインやそこに従事する作業者は、十分な殺菌消毒及び専用衣類等を着用する必要があり、製造ライン全体の衛生環境を保つために多大なコストを必要としている。（図１参照）
【０００３】一方で単純な衛生管理に要するコストや工程を省略・削減することは、雑菌類の混入・繁殖などの衛生状態の悪化につながり、食中毒事故を招く。
安価なコストで高度な衛生環境を達成する有効な手段を開発する必要があった。
【発明の概要】
【０００４】食品や医薬品等の高度な衛生管理を必要とする製造工程において、原材料・中間材を開閉シャッター付き密閉容器に格納し、同じく原材料投入部に開閉シャッターを装備した製造装置を組み合わせて使用する。（図２参照）
【０００５】密閉容器と製造装置は、食品や医薬品等の製造に必要な衛生環境を有すものとする。
【０００６】食品・医薬品の原材料・中間材は、密閉容器に搬入する。
【０００７】原材料・中間材を入れた密閉容器の開閉シャッターと製造装置の開閉シャッター部は、互いに密着できる様、符合する形状を有し、（図３参照）外部からの不純物や菌類の侵入を防止する。
【０００８】両者が密着した状態で、原材料・中間材は密閉容器の開閉シャッター、次に製造装置のシャッターを通過し、高度な衛生状態を保った状態で製造装置に搬入される。
【０００９】製造装置内の処理が終了した後、原材料・中間材料は製造装置のシャッター、次に密閉容器の開閉シャッターを通過し、密閉容器に搬入され、次の処理装置へ密閉状態で運搬される。
【００１０】ここで中間材は、密閉容器の開閉シャッター、次に製造装置のシャッターを通過し、高度な衛生状態を保ったまま製造装置に搬入される。製造装置内の処理が終了した後、中間材料は先ほどと同様に製造装置のシャッター、次に密閉容器の開閉シャッターを通過し、密閉容器に搬入される。
【０００１１】高度な衛生状態が必要な生産ラインで、順次このプロセスを繰り返し、生産を進める。
【０００１２】密閉容器は、内部の温度、湿度、気圧を必要に応じ制御できる。
また、密閉容器は紫外線、オゾン等の消毒機能を有すことができる。
【発明の効果】
【００１３】生産工場全体の衛生環境全体を保持することなく、局所的に衛生環境を保持することにより、安価に食品・薬品製造に必要な衛生環境を保持できる。
【図面の簡単な説明】
【００１４】
【図１】旧来の生産方式  ［０００１］  生産ライン全体の衛生環境を高めている
【図２】本件特許の生産方式  生産ライン中の原材料・中間財が直接触れる部分のみ衛生環境を高めている。
【図３】双方の開閉部が密着した食品製造装置と原材料・密封格納容器
【図１】
2012254067.tif 000003
【図２】
2012254067.tif 000004
【図３】
2012254067.tif 000005